(57)【要約】【課題】タッチパネル押圧時に液晶表示パネルの撓みを抑制して表示品質の低下を防止した液晶表示装置を提供すること。【解決手段】タッチパネルが装着された液晶表示パネル３と、この液晶表示パネル３の外周縁部を支持する支持枠５と、この支持枠５に載置された液晶表示パネル３を固定する前面枠６と、これらの部品を収容する収容ケース１０とを有し、この収容ケース１０内に支持枠５を収容して、この支持枠５に液晶表示パネル３を載置して前面枠６で固定した液晶表示装置１であって、支持枠５は、液晶表示パネル３の外周縁部を支持する枠部材５ａを有し、この枠部材５ａは、その頂部が前面枠６に当接する長さに形成され、下方部はその一部が延設されて収容ケース１０の底部に当接する長さの支持脚部５Ｆ１が形成されている。【選択図】  図１
2008151898.tif 000002
【特許請求の範囲】
【請求項１】
タッチパネルが装着された液晶表示パネルと、前記液晶表示パネルの外周縁部を支持す
る支持枠と、前記支持枠に載置された前記液晶表示パネルを固定する前面枠と、これらの
部品を収容する収容ケースとを有し、前記収容ケース内に前記支持枠を収容して、この支
持枠に前記液晶表示パネルを載置して前記前面枠で固定した液晶表示装置において、
前記支持枠は前記液晶表示パネルの外周縁部を支持する枠部材を有し、前記枠部材の頂
部は前記前面枠に当接する長さに形成され、前記枠部材の下方部はその一部が延設されて
前記収容ケースの底部に当接する長さの支持脚部が形成されていることを特徴とする液晶
表示装置。
【請求項２】
前記支持枠は、対向する一対の枠部材で囲まれ内部に前記液晶表示パネルの表示面を露
出させる窓穴が形成された額縁状をなし、前記支持脚部は、前記対向する枠部材の少なく
とも一つの枠部材に設けられていることを特徴とする請求項１に記載の液晶表示装置。
【請求項３】
前記支持脚部は、前記枠部材の少なくとも一辺の中央部に所定の長さに亘って形成され
ていることを特徴とする請求項２に記載の液晶表示装置。
【請求項４】
前記支持脚部の幅長は、前記枠部材の支持脚部を設置する辺の長さの二分の一以下の長
さに形成されていることを特徴とする請求項３に記載の液晶表示装置。
【請求項５】
前記支持枠の頂部には、前記液晶表示パネルの外周縁部が載置される段差部が形成され
、前記段差部は、前記液晶表示パネルのシール部材が塗布された領域を支持する長さに形
成されていることを特徴とする請求項１〜４のいずれかに記載の液晶表示装置。
【請求項６】
前記収容ケースの底部には、該底部から所定高さで立設され前記液晶表示パネルを支持
する複数本の支柱が設けられ、これらの支柱間に前記支持脚部が位置して、これらの支柱
及び支持脚部で前記液晶表示パネルが支持されていることを特徴とする請求項１〜５のい
ずれかに記載の液晶表示装置。
【請求項７】
前記収容ケースの内部に液晶表示パネルを照射するバックライト装置が配置され、該バ
ックライト装置と前記収容ケースの底部との間に制御回路基板を配設することを特徴とす
る請求項１〜６のいずれかに記載の液晶表示装置。
【発明の詳細な説明】
【技術分野】
【０００１】
本発明は液晶表示装置に係り、特にタッチパネルへの押圧による表示画像への悪影響を
低減したタッチパネル付きの液晶表示装置に関するものである。
【背景技術】
【０００２】
先ず、公知のタッチパネル付き液晶表示装置１Ａについて、図面を参照して説明する。
なお、図４は公知のタッチパネル付き液晶表示装置の平面図、図５は図４の液晶表示装置
のＡ−Ａ線の断面図、図６は図４のタッチパネル付き液晶表示装置を分解した分解図であ
る。
【０００３】
タッチパネル付き液晶表示装置１Ａは、図４〜図６に示すように、通常、液晶モジュー
ル２と、この液晶モジュール２の液晶表示パネル３上に装着されたタッチパネル９とを有
し、これらの液晶モジュール２及びタッチパネル９はハウジング１０内に収容された構成
を有している。
【０００４】
液晶モジュール２は、矩形状の液晶表示パネル３と、この液晶表示パネル３が載置・固
定される支持枠５Ａと、この支持枠５Ａに載置された液晶表示パネル３を固定する前面枠
６と、液晶表示パネル３の背面に配設されて液晶表示パネル３を照射するバックライト装
置７と、を有し、このバックライト装置７は裏蓋ケース８で覆われている。
【０００５】
液晶表示パネル３は、矩形状の２枚のガラス基板３ａ、３ｂ間に枠状のシール部材４を
介在させて貼り合わせ、この貼り合わされた２枚のガラス基板３ａ、３ｂとシール部材４
との間に形成された空間に液晶３０が封入された構成となっている。
【０００６】
各ガラス基板３ａ、３ｂの外面には、偏光板３ａ'、３ｂ'が設けられている。また、こ
の液晶表示パネル３には、不図示のフレキシブルプリント配線基板（Flexible Printed C
ircuit、以下、単にフレキシブル基板という）が装着され、このフレキシブル基板は液晶
表示パネル３を制御する制御回路基板（図示省略）に接続されている。液晶モジュール２
の組み立て時には、この制御回路基板は裏蓋ケース８の背面に配設される。
【０００７】
支持枠５Ａは、対向する一対の長尺及び短尺の枠辺で囲まれ、その中に液晶表示パネル
３の外形より若干小さい大きさの窓口が形成された額縁状の枠部材からなり、通常、合成
樹脂材で形成されている。各長尺及び短尺の枠辺は、所定の肉厚を有する側壁からなり、
これらの側壁が上方へ突出されて、これらの突出部に液晶表示パネル３が載置・固定され
る。
【０００８】
前面枠６は、図６に示すように、対向する一対の長尺の枠辺６ａ、６ｂ及び短尺の枠辺
６ｃ、６ｄで囲まれ、これら枠辺６ａ〜６ｄの中に液晶表示パネル３の表示面を露出させ
る窓穴６０が形成された額縁状の枠部材からなり、例えば金属材で形成されている。この
額縁状の前面枠６は、その上面の四隅にそれぞれボルトｂが挿通される４つの挿通孔６１
が形成されている。
【０００９】
タッチパネル９は、液晶表示パネル３と略同じ大きさを有し、一対の対向する長尺辺及
び短尺辺を有する基板から構成されている。その構造は、電極が設けられた透明部材から
なる下基板９ｂと、同様の電極が設けられた可撓性を有する透明部材からなる上基板９ａ
とを有し、これらの上下基板９ａ、９ｂが所定の隙間をあけて貼り合わされて、可撓性を
有する上基板の所定箇所が押圧されることにより、上基板９ａの電極が下基板９ｂの電極
に接触あるいは近接してスイッチがオンされる構成となっている。なお、同様の構成を有
するタッチパネルは、例えば下記特許文献１に記載されている。
【００１０】
ハウジング１０は、図６に示すように、液晶モジュール２が収容される大きさの底壁１
１０と、この底壁１１０の周囲から立設された一対の対向する長尺の側壁１１ａ、１１ｂ
及び短尺の側壁１１ｃ、１１ｄとを有する箱型ケースからなり、板金部材または合成樹脂
材の成型体で形成されている。このハウジング１０内には、その底壁１１０の４隅に所定
高さの４本の支柱１２１が立設されている。各支柱１２１の高さは、液晶モジュール２が
収納されたときに液晶表示パネル３の背面に装着された不図示の制御回路基板が収容可能
な高さとなっている。各支柱１２１の頂部には、縦穴が形成されてこの穴内に雌ネジが刻
設されている。
【００１１】
ハウジング１０内への液晶モジュール２の収納は、各支柱１２１の頂部に液晶モジュー
ル２を載置して、支持枠６の挿通孔６１にそれぞれボルトｂを挿通して固定される。次い
で、液晶モジュール２の上にはタッチパネル９が装着される。この組み立てにより、タッ
チパネル９が装着された液晶モジュール２は、ハウジング内の４隅の支柱１２１〜１２１
で支持され固定される。なお、支柱でなく受け部及びＬ型アングルを設けて液晶表示パネ
ルを支持するようにしたものは下記特許文献２に記載されている。
【特許文献１】特開２００４−２２７１９２号公報（段落〔００２２〕〜〔００２４〕、図１）
【特許文献２】特開平７−９９３９４号公報（段落〔００３７〕〜〔００４０〕、図５）
【発明の開示】
【発明が解決しようとする課題】
【００１２】
このようなタッチパネル付き液晶表示装置１Ａの液晶モジュール２は、ハウジング１０
内で４隅の支柱１２１等で支持固定されるだけで、支柱間に支持手段が存在しないために
、タッチパネル９操作時に指でタッチパネル９の表面が押されて、液晶表示パネル３の表
示面に垂直方向から比較的強い外力が加えられると、図７に示すように、この外力により
液晶表示パネル３が撓むと同時に液晶表示パネル３を支持する前面枠６も追従して撓むこ
とになる。その結果、前面枠６が液晶表示パネル３に接触して表示画面に表示された画像
が変形等して表示品位が低下する原因となる。
【００１３】
そこで、このような撓みをなくするために、この種のタッチパネル付き液晶表示装置は
、４本の支柱の他に補助的な支持手段が設けられている。なお、図８は他の従来技術に係
るタッチパネル付き液晶表示装置を示す分解斜視図である。また、この図８に示すタッチ
パネル付き液晶表示装置１Ｂ、１Ｃにおいては、上述したタッチパネル付き液晶表示装置
１Ａと同一の構成部分については同一の符号を付してその説明は省略する。
【００１４】
例えば、図８（ａ）に示したタッチパネル付き液晶表示装置１Ｂは、ハウジング１０の
側壁面に、内方へ突出させた複数個の支持突片１２Ａが設けられたものである。これらの
支持突片１２Ａは、ハウジング１０の側壁を内側に切り起こすことによって形成されてい
る。
【００１５】
ところが、このハウジング１０の側壁は、通常肉薄の板材で形成されているので、タッ
チパネル９に比較的強い押圧力が加わると、この外力よって支持突片１２Ａが押し下げら
れて側壁が傾倒してしまい、剛性の弱い前面枠６を支持することができなくなる。その結
果、前面枠６が液晶表示パネル３に接触して表示品位の低下を招来する原因となる。また
、この支持突片１２Ａには、強い機械的強度が期待できないばかりでなく、側壁面から直
角に突出させ且つこの状態を保持させておくことが極めて難しい。そのため、通常、タッ
チパネル９からの押圧力を考慮して、支持突片１２Ａの先端部を基部に対して上方へ持ち
上げた状態に形成されている。そうすると、支柱１２１と支持突片１２Ａとでバランスを
とって、液晶表示パネル３をハウジング１０の底壁１１０に対して水平状態に保持するこ
とが難しくなり、非水平状態になると、歪みが発生して同様の表示品質の低下に繋がるこ
とになる。また、図８（ｂ）に示したタッチパネル付き液晶表示装置１Ｃは、ハウジング
１０の側壁に貫通穴１１Ａを形成し、この貫通穴１１Ａにボルトｂを挿通して液晶表示パ
ネル３を固定したものである。
【００１６】
この取り付け構造によると、ボルトｂを締めることにより、ボルトｂがハウジング１０
の側壁を貫通して液晶表示パネル３のフレーム枠にネジ止めされるが、フレーム枠内には
、液晶表示パネル３が収容されているので、ボルトｂの先端が液晶表示パネル３に突き当
たって押し込まれ、あるいはネジが液晶表示パネルを押し上げ、液晶表示パネル３を局所
的に変形させてしまうことがある。このような変形が起こると液晶表示パネルが損傷した
り、或いは表示不良の原因となる可能性がある。
【００１７】
本発明は、上記従来技術が抱える課題を解決するためになされたもので、本発明の目的
は、タッチパネルの押圧時において表示品質の低下防止の構造を有する液晶表示装置を提
供することにある。
【課題を解決するための手段】
【００１８】
上記目的を達成するために、請求項１に記載の液晶表示装置の発明は、タッチパネルが
装着された液晶表示パネルと、前記液晶表示パネルの外周縁部を支持する支持枠と、前記
支持枠に載置された前記液晶表示パネルを固定する前面枠と、これらの部品を収容する収
容ケースとを有し、前記収容ケース内に前記支持枠を収容して、この支持枠に前記液晶表
示パネルを載置して前記前面枠で固定したタッチパネル付き液晶表示装置において、
前記支持枠は前記液晶表示パネルの外周縁部を支持する枠部材を有し、前記枠部材の頂
部は前記前面枠に当接する長さに形成され、前記枠部材の下方部はその一部が延設されて
前記収容ケースの底部に当接する長さの支持脚部が形成されていることを特徴とする。
【００１９】
また、請求項２に記載の発明は、請求項１に記載の液晶表示装置において、前記支持枠
は、対向する一対の枠部材で囲まれ内部に前記液晶表示パネルの表示面を露出させる窓穴
が形成された額縁状をなし、前記支持脚部は、前記対向する枠部材の少なくとも一つの枠
部材に設けられていることを特徴とする。
【００２０】
また、請求項３に記載の発明は、請求項２に記載の液晶表示装置において、前記支持脚
部は、前記枠部材の少なくとも一辺の中央部に所定の長さに亘って形成されていることを
特徴とする。
【００２１】
また、請求項４に記載の発明は、請求項３に記載の液晶表示装置において、前記支持脚
部の幅長は、前記枠部材の支持脚部を設置する辺の長さの二分の一以下の長さに形成され
ていることを特徴とする。
【００２２】
また、請求項５に記載の発明は、請求項１〜４のいずれかに記載の液晶表示装置におい
て、前記支持枠の頂部には、前記液晶表示パネルの外周縁部が載置される段差部が形成さ
れ、前記段差部は、前記液晶表示パネルのシール部材が塗布された領域を支持する長さに
形成されていることを特徴とする。
【００２３】
また、請求項６に記載の発明は、請求項１〜５のいずれかに記載の液晶表示装置におい
て、前記収容ケースの底部には、該底部から所定高さで立設され前記液晶表示パネルを支
持する複数本の支柱が設けられ、これらの支柱間に前記支持脚部が位置して、これらの支
柱及び支持脚部で前記液晶表示パネルが支持されていることを特徴とする。
【００２４】
また、請求項７に記載の発明は、請求項１〜６のいずれかに記載の液晶表示装置におい
て、前記収容ケースの内部に液晶表示パネルを照射するバックライト装置が配置され、該
バックライト装置と前記収容ケースの底部との間に制御回路基板を配設することを特徴と
する。
【発明の効果】
【００２５】
本発明は上記構成を備えることにより、以下に示すような優れた効果を奏するものであ
る。すなわち、請求項１の発明によれば、支持枠を構成する枠部材の一部に支持脚部を設
けることにより、支持位置を液晶表示パネルの表示品位に影響しない場所に特定できるの
で、不要な応力が液晶表示パネルに伝わることなく、高い表示品位を維持することが可能
になる。例えば図８に図示した従来技術が抱える不都合を回避できる。また、支持脚部は
枠部材の一部に設けられているので、液晶表示パネルに接続されたフレキシブル基板を配
線する際の障害となることがない。
【００２６】
請求項２の発明によれば、支持枠を額縁状の枠部材で構成し、支持脚部を対向する枠部
材の少なくとも一つの枠部材に設けることにより、請求項１に示す発明の効果を奏するこ
とが可能になる。
【００２７】
請求項３、４の発明によれば、支持脚部を所定の長さ、特に請求項４に記載の発明のよ
うに枠部材の支持脚部を設置する辺の長さの二分の一以下の長さにすることにより、安定
した支持が可能になる。また、この支持脚部を枠部材の中央部に設けることにより、通常
、両端部は他の支持手段に支持されるので、この中央部の支持で安定した支持が可能にな
る。
【００２８】
請求項５の発明によれば、支持枠の頂部に液晶表示パネルのシール部材が塗布された領
域を支持する長さの段差部を設け、この段差部に液晶表示パネルを載置・支持することに
より、液晶表示パネルの堅固な支持が可能になる。すなわち、液晶表示パネルはシール部
材で貼り合わされた箇所の機械的強度が最も高くなっているので、この部分で支持される
ことにより、液晶表示パネルの支持が堅固になる。
【００２９】
請求項６の発明によれば、液晶表示パネルは支柱及び支持脚部で支持されるので、複数
箇所で液晶表示パネルを支持できるのでその支持が堅固になり、タッチパネル操作時にタ
ッチパネルの表面が押圧されて液晶表示パネルの表示面に比較的強い外力が加えられても
撓むことがなく、前面枠等が液晶表示パネルに接触して表示画像が変形等して表示品位が
低下することがなくなる。
【００３０】
請求項７の発明によれば、収容ケースの底部とバックライト装置との間に制御回路基板
を配設する空間を有すること、すなわち、タッチパネル付きの液晶モジュールが支柱及び
支持脚部で支持されることにより、液晶モジュールが収納されたときに、この液晶モジュ
ールの背面にフレキシブル基板を介して装着された制御回路基板が収容可能な高さとなり
、支持位置を液晶表示パネルの表示品位に影響しない場所に特定でき、不要な応力が液晶
表示パネルに伝わることなく、高い表示品位を維持することが可能になる。例えば図８に
図示した従来技術が抱える不都合を回避できる。また、支持脚部は枠部材の一部に設けら
れているので、液晶表示パネルに接続されたフレキシブル基板を配線する際の障害となる
ことがない。
【発明を実施するための最良の形態】
【００３１】
以下、図面を参照して本発明の最良の実施形態を説明する。但し、以下に示す実施形態
は、本発明の技術思想を具体化するための液晶表示装置を例示するものであって、本発明
をこの液晶表示装置に特定することを意図するものではなく、特許請求の範囲に含まれる
その他の実施形態のものも等しく適応し得るものである。
【実施例１】
【００３２】
図１に示す本発明の一実施例に係るタッチパネル付きの液晶表示装置１は、図４、図５
の液晶表示装置１Ａと略同じ構成を有し、内部構造の一部が異なっている。そこで、両者
に共通する部分には同じ符号を付して、その説明を援用して重複説明を省略し異なる構成
を中心に詳述する。なお、図１は本発明の一実施例に係るタッチパネル付き液晶表示装置
の部分断面図である。この部分断面は図４のタッチパネル付液晶モジュールのＡ−Ａ線で
切断した部分に相当する。図２は図１のタッチパネル付き液晶表示装置においてハウジン
グと支持脚部との関係を示したハウジングの平面図、図３は本発明のタッチパネル付き液
晶表示装置の変形例としての液晶モジュールの外観斜視図である。
【００３３】
本発明の一実施例に係る液晶表示装置１は、図１に示すように、液晶モジュール２及び
この液晶モジュール２内の液晶表示パネル３上に装着されたタッチパネル９を有し、これ
らの液晶モジュール２及びタッチパネル９がハウジング１０内に収容された構成を有して
いる。
【００３４】
液晶モジュール２は、矩形状の液晶表示パネル３と、この液晶表示パネル３が載置され
固定される支持枠５と、この支持枠５に載置された液晶表示パネル３を固定する前面枠６
と、液晶表示パネル３の背面に配設されて液晶表示パネル３を照射するバックライト装置
７とを有し、このバックライト装置７は裏蓋ケース８で覆われている。
【００３５】
裏蓋ケース８は、支持枠５と略同じ形状の矩形状の底板と、この底板の外周縁から上方
へ折曲された背低の側板と、を有する上方が開口した浅底の箱型ケースからなり、板金加
工により形成されている。この裏蓋ケース８内には光学シート、導光板、反射板及び光源
等からなるバックライト装置７が収容されている。また、前面枠６はその断面がＬ字状に
なるように一体に形成された枠辺６ａ、６ｂで形成されている。
【００３６】
さらに、ハウジング１０は、図６に示す公知のタッチパネル付き液晶表示装置１Ａと同
様に、液晶モジュール２が載置される大きさの底壁１１０と、この底壁１１０の周囲から
立設された一対の対向する長尺の側壁１１ａ、１１ｂ及び短尺の側壁１１ｃ、１１ｄを有
する箱型ケースからなり、板金部材あるいは合成樹脂材の成型体で形成されている。この
ハウジング１０内には、その底壁１１０の４隅に所定高さの４本の支柱１２１が立設され
ている。各支柱１２１の高さは、液晶モジュール２が収納されたときにこの液晶モジュー
ル２の背面にフレキシブル基板を介して装着された図示しない制御回路基板が収容可能な
高さとなっている。また、各支柱１２１の頂部には縦穴が形成されてこの縦穴内壁に雌ネ
ジが刻設されている。
【００３７】
液晶表示装置１は、これらの部品で構成されるが、これらの部品のうち、液晶モジュー
ル２を構成する液晶表示パネル３、バックライト装置７及び前面枠６並びにタッチパネル
９は、タッチパネル付き液晶表示装置１Ａのものと共通している。さらにいえば、タッチ
パネル付き液晶表示装置１Ａとは支持枠５の構成が主に異なっている。
【００３８】
次に、本実施例の液晶表示装置１の支持枠５について図１及び図２を参照して説明する
。
支持枠５は、図２に示すハウジング１０の内壁にほぼ接触する状態で収容される対向す
る一対の長尺の枠部材５ｃ、５ｄ及び短尺の枠部材５ａ、５ｂを有している。そして、各
枠部材５ａ〜５ｄの中に液晶表示パネル３の外形より若干小さい大きさの窓穴が形成され
た額縁状の部材からなり、合成樹脂材で形成されている。
【００３９】
各枠部材５ａ〜５ｄはその断面形状はほぼ同一であるので、以下には各枠部材５ａ〜５
ｄを代表して枠部材５ａ（実施例１において、図１に示す符号５に相当する）について説
明する。枠部材５ａは、図１に示すように、所定の幅長Ｗ３及び高さＨ２を有し、組み立
てた状態で頂部５Ｔの一部（当接頂部５Ｔ１）が前面枠６の一方の枠辺６ａに当接（図１
のＣ１部分）し、この頂部５Ｔから下方へ延びた支持脚部５Ｆ１の底部５Ｂがハウジング
１０の底壁１００に当接（図１のＣ２部分）されるようになっている。すなわち、枠部材
５ａの頂部５Ｔは所定の幅長Ｗ３を有し、この頂部５Ｔは、外側に前面枠６に当接される
幅長Ｗ１を有する当接頂部５Ｔ１と、この頂部下方の肩部に液晶表示パネル３の端縁部が
載置される段差部５Ｔ２とからなる。段差部５Ｔ２はその載置面の幅長Ｗ２が液晶表示パ
ネル３のシール部材４を支持する長さになっている。液晶表示パネル３は、シール部材４
で貼り合わされた箇所の機械的強度が最も強くなっているので、この幅長Ｗ２でシール部
材４部分を支持することにより、液晶表示パネル３の支持が堅固になる。なお、この段差
部５Ｔ２の下方には、液晶表示パネル３とバックライト装置７とを区画するように内方へ
突出した突出部５Ｍが形成されている。
【００４０】
枠部材５ａ〜５ｄにはそれぞれ支持脚部５Ｆ１〜５Ｆ４が設けられている。このうち、
枠部材５ａの支持脚部５Ｆ１は、頂部５Ｔから下方へ延設、すなわち、バックライト装置
７を収容した裏蓋ケース８より下方へ長さＨ１だけ延設されて形成されている。この延設
により、支持脚部５Ｆ１の底部５Ｂがハウジング１０の底壁１００に当接される。また、
この底部５Ｂの幅長Ｗ４と頂部５Ｔの幅長Ｗ３とは、図１ではＷ４<Ｗ３となるように示
しているが、Ｗ４をＷ３より長くしてもよい。また、他の枠部材５ｂ〜５ｄにおいても、
枠部材５ａの支持脚部５Ｆ１と同一の構成を有する支持脚部５Ｆ２〜５Ｆ４が設けられて
いる。ただし、ハウジング１０の底壁１００面と裏蓋ケース８との間に液晶表示パネル３
に不図示のフレキシブル基板で接続された制御回路基板（図示省略）が配設されても、支
持脚部を枠部材の一部に設ければよいので、制御基板配設への障害にはならない。
【００４１】
加えて、ハウジング１０の底壁１００の４隅には、それぞれ４本の支柱１２１が設けら
れているので、支持枠５の各支持脚部５Ｆ１〜５Ｆ４をこの支持枠５がハウジング１０内
に収容されたときにこれらの支柱１２１の間に位置するように形成される。すなわち、各
支持脚部５Ｆ１〜５Ｆ４は図２にハッチングで示した支持脚部５Ｆ１〜５Ｆ４が当接する
載置領域１３Ｆ１〜１３Ｆ４に当接するように形成されている。
【００４２】
詳しく述べると、例えば長尺の枠部材５ｃでは、図２に示すように、各支柱１２１の間
の取り付けピッチ間の長さをＰとして、この長さＰを４等分し、長尺の枠部材５ｃの支持
脚部５Ｆ３はその中間部を中心にしてそれぞれ１／４Ｐの長さ、合計すると１／２Ｐの長
さに亘って設けられる。また、対向する長尺の枠部材５ｄの支持脚部５Ｆ４も同じ箇所に
同じ長さで設けられる。さらに、短尺の枠部材５ａ、５ｂにも同様の計算方法により得ら
れた支持脚部５Ｆ１、５Ｆ２が設けられる。なお、このとき、不図示のフレキシブル基板
はいずれかの支柱と支持脚部との間に配設される。
【００４３】
このような支持脚部５Ｆ１〜５Ｆ４を有する支持枠５は、ハウジング１０内に収容され
てその段差部５Ｔ２上に液晶表示パネル２が載置される。この支持枠５がハウジング１０
内に収容されると、図２に示すように、各支柱１２１間に各支持脚部５Ｆ１〜５Ｆ４が位
置することになる。
【００４４】
したがって、この状態で支持枠５の上方から前面枠６が取り付けられると、これらの部
品はハウジング１０の底壁に固定乃至当接された各支柱１２１及び各支持脚部５Ｆ１〜５
Ｆ４により支持、すなわち、四方の隅部が各支柱１２１で支持され且つ各隅部の中間部が
支持枠５の支持脚部５Ｆ１〜５Ｆ４で支持されるので、前面枠６等が特に中間部付近で撓
むことがなくなる。
【００４５】
その結果、液晶表示パネル３の表面にタッチパネル９が装着されて、タッチパネル９が
強く押圧される場合でも、液晶表示パネル３及び前面枠６が支柱１２１〜１２１及び支持
枠５の支持脚部５Ｆ１〜５Ｆ４で支持されるので、前面枠６等が撓むことがなく、表示品
質の低下を招くことがなく、表示を高品位に保つことができる。特に、支持枠５を構成す
る枠部材５ａ〜５ｄの特定領域に支持脚部５Ｆ１〜５Ｆ４を設けていることにより、支持
位置を液晶表示パネル３の表示品位に影響しない場所に特定できるので、不要な応力が液
晶表示パネル３に伝わることなく、表示品位が高い状態で製品化することが可能になる。
例えば、図８に図示した従来技術が抱える不都合を回避できる。
【００４６】
以上、本発明の一実施例について説明したが、本発明はこれに限定されることなく、種
々変更できるものである。例えば、上記実施例において長尺あるいは短尺の各枠部材５ａ
〜５ｄの支持脚部５Ｆ１〜５Ｆ４は、図２に示したように、支持枠５を構成する枠部材（
側壁）に所定幅長で設けたが、図３に示したタッチパネル付き液晶表示装置の液晶モジュ
ール２'のように、所定幅長の支持脚部５Ｆ３'、５Ｆ４'を支持枠５'の長尺枠部材にのみ
分離して複数個設けるような構成にすることも当然可能である。
【図面の簡単な説明】
【００４７】
【図１】図１は本発明の一実施例に係るタッチパネル付き液晶表示装置の部分断面図である。
【図２】図２は図１のタッチパネル付き液晶表示装置においてハウジングと支持脚部との関係を示したハウジングの平面図である。
【図３】図３は本発明のタッチパネル付き液晶表示装置の変形例としての液晶モジュールの外観斜視図である。
【図４】図４は公知のタッチパネル付き液晶表示装置の平面図である。
【図５】図５は図４の液晶表示装置のＡ−Ａ線の断面図である。
【図６】図６は図４のタッチパネル付き液晶表示装置を分解した分解図である。
【図７】図７は図４の液晶表示装置の使用時におけるタッチパネルと液晶表示パネルとの関係を模式的に示した断面図である。
【図８】図８は他の従来技術の液晶表示装置を示した分解斜視図である。
【符号の説明】
【００４８】
１、            （タッチパネル付き）液晶表示装置
２、２'         液晶モジュール
３              液晶表示パネル
３ａ、３ｂ      ガラス基板
３０            液晶
４              シール部材
５、５'         支持枠
５ａ〜５ｄ      枠部材
５Ｆ１〜５Ｆ４、５Ｆ３'、５Ｆ４'  支持脚部
５Ｔ１          頂部
５Ｔ２          段差部
６              前面枠
７              バックライト装置
８              裏蓋ケース
９              タッチパネル
１０            ハウジング
１１ａ〜１１ｄ  側壁
１２１〜１２１  支柱
【図１】
2008151898.tif 000003
【図２】
2008151898.tif 000004
【図３】
2008151898.tif 000005
【図４】
2008151898.tif 000006
【図５】
2008151898.tif 000007
【図６】
2008151898.tif 000008
【図７】
2008151898.tif 000009
【図８】
2008151898.tif 000010